(57)【要約】【課題】第１のパネルに配置される表示手段に対する当該表示手段の表示カバーの位置決め精度を向上させると共に、第１のパネル上に配置される第２のパネルの裏面印刷を可能にしたパネル構造等を提供すること。【解決手段】表示手段１１２が位置決め固定された第１のパネル１１上に第２のパネル１２を位置決め固定し、更に、前記第２のパネルの縁部を延長し、当該延長縁部１２ｂａ上で表示カバー１３の縁部を支持することにより、前記第２のパネル上に前記表示カバーを位置決め固定する。これにより、表示手段と表示カバーとの位置決め構造を両者間に配設しなくても両者を高精度に位置決めすることができると共に、表示手段と表示カバーとの位置決め構造が不要となるので、第２のパネルの裏面が平坦となり、第２のパネルの裏面に印刷を施すことができる。【選択図】図５
2008041797.tif 000002
【特許請求の範囲】
【請求項１】
表示手段が位置決め固定された第１のパネル上に第２のパネルを位置決め固定し、更に、前記第２のパネルの縁部を延長し、当該延長縁部上で表示カバーの縁部を支持することにより、前記第２のパネル上に前記表示カバーを位置決め固定したことを特徴とするパネル構造。
【請求項２】
前記第１のパネル上に突部を設け、前記第２のパネルに前記突部が挿入可能な穴部を設けることにより、前記第１のパネル上に前記第２のパネルを位置決めしたことを特徴とする請求項１に記載のパネル構造。
【請求項３】
前記突部と前記穴部は、前記表示手段に近接して設けられていることを特徴とする請求項２に記載のパネル構造。
【請求項４】
前記突部と前記穴部は、少なくとも前記表示手段の両側に設けられていることを特徴とする請求項２又は３に記載のパネル構造。
【請求項５】
前記突部と前記穴部は、前記表示カバーの枠印刷範囲内に設けられていることを特徴とする請求項２〜４の何れか一項に記載のパネル構造。
【請求項６】
前記第２のパネルの裏面は、平坦に形成されていることを特徴とする請求項１〜５の何れか一項に記載のパネル構造。
【請求項７】
操作パネルを備えた操作部であって、
請求項１〜６の何れか一項に記載のパネル構造を備えたことを特徴とする操作部。
【請求項８】
請求項７に記載の操作部を備えたことを特徴とする電子機器。
【発明の詳細な説明】
【技術分野】
【０００１】
本発明は、表示手段が位置決め固定されたパネル構造及びそのパネル構造を有する操作部並びにその操作部を備えた電子機器に関する。
【背景技術】
【０００２】
電子機器に備えられているパネルには、表面パネルと内面パネルとを２層に組み合わせて１つのパネルとしたものがある。この２層のパネルは、表面パネルに設けた爪を内面パネルに設けた角穴に嵌合することにより組み合わされている。そして、内面パネルには制御用スイッチ類を固定するボスを形成し、表面パネルには上記ボスを形成せずに表面にひけ等の無い均一な板状とすることにより、表面パネルの表面に直接印刷できるようにしている（特許文献１参照）。
【０００３】
【特許文献１】実開平５−４８８８９号公報
【発明の開示】
【発明が解決しようとする課題】
【０００４】
上述した従来の２層のパネルは、表面パネルの表面に印刷しているので、長期間の使用等により印刷部分が掠れたり剥がれる場合がある。そして、このパネルが例えば操作パネルとして使用されている場合は、印刷されている操作ボタン等の名称等が判別できなくなり、必要な操作ができず、また誤った操作をしてしまうおそれがある。そこで、２層のパネルの表面パネルを透明にすることにより、表面パネルの裏面に印刷することが可能となるので、上記問題を解消することができる。
【０００５】
ところで、操作パネルに液晶ディスプレイが配置された電子機器が多くなってきているが、このような電子機器においては、ユーザが液晶ディスプレイに表示される全情報を視認することができるようにするために、液晶ディスプレイとこの液晶ディスプレイを覆う液晶ディスプレイカバーとが高精度に位置決め固定されていることが非常に重要となる。このために液晶ディスプレイと液晶ディスプレイカバーとの位置決め構造が両者間に配設されることになるが、その位置決め構造を避けるために表面パネルの裏面が平坦でなくなり、表面パネルの裏面に印刷することができなくなる場合がある。また、液晶ディスプレイと液晶ディスプレイカバーとの位置決めが良くないと、液晶ディスプレイの表示部分を液晶ディスプレイカバー外周部の枠印刷部が覆ってはいけないため、液晶ディスプレイの実表示領域から液晶ディスプレイカバー外周部の枠印刷部までの距離を確保しなければならず、液晶のガラス面積が大きくなって取り数が悪化する場合もある。
【０００６】
本発明は、上記のような課題に鑑みなされたものであり、その目的は、第１のパネルに配置される表示手段に対する当該表示手段の表示カバーの位置決め精度を向上させると共に、第１のパネル上に配置される第２のパネルの裏面印刷を可能にしたパネル構造及びそのパネル構造を有する操作部並びにその操作部を備えた電子機器を提供することにある。
【課題を解決するための手段】
【０００７】
上記目的達成のため、本発明のパネル構造では、表示手段が位置決め固定された第１のパネル上に第２のパネルを位置決め固定し、更に、前記第２のパネルの縁部を延長し、当該延長縁部上で表示カバーの縁部を支持することにより、前記第２のパネル上に前記表示カバーを位置決め固定したことを特徴としている。これにより、表示手段と表示カバーとの位置決め構造を両者間に配設しなくても両者を高精度に位置決めすることができると共に、表示手段と表示カバーとの位置決め構造が不要となるので、第２のパネルの裏面が略平坦となり、第２のパネルの裏面に印刷を施すことができる。
【０００８】
また、前記第１のパネル上に突部を設け、前記第２のパネルに前記突部が挿入可能な穴部を設けることにより、前記第１のパネル上に前記第２のパネルを位置決めしたことを特徴としている。これにより、第１のパネルと第２のパネルとの位置決め構造を簡易なものとすることができる。更に、第２のパネルの裏面を略平坦にすることができるので、第２のパネルの裏面に印刷を施すことができる。また、前記突部と前記穴部は、前記表示手段に近接して設けられていることを特徴としている。これにより、表示手段と表示カバーとの位置決め精度を向上させることができる。
【０００９】
また、前記突部と前記穴部は、少なくとも前記表示手段の両側に設けられていることを特徴としている。これにより、表示手段を挟み込む形で第１のパネルと第２のパネルとを位置決めしているため、表示手段と表示カバーとの高精度な位置決めを維持することができる。また、前記突部と前記穴部は、前記表示カバーの枠印刷範囲内に設けられていることを特徴としている。これにより、突部と穴部を外観上見えなくしてデザイン性を向上させることができる。また、前記第２のパネルの裏面は、平坦に形成されていることを特徴としている。これにより、第２のパネルの裏面に全面にわたって印刷することができ、デザイン性を向上させることができると共に、印刷の剥離を防止することができる。
【００１０】
上記目的達成のため、本発明の操作部は、操作パネルを備えた操作部であって、上記各パネル構造を備えたことを特徴としている。また、上記目的達成のため、本発明の電子機器は、上記操作部を備えたことを特徴としている。これにより、上記各作用効果を奏する操作部又は電子機器を提供することが可能である。
【発明を実施するための最良の形態】
【００１１】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１２】
図１は、本発明の一実施の形態に係るパネル構造を備えた電子機器である記録装置の外観構成の全体を示す斜視図である。この記録装置はインクジェット式プリンタ１００であり、例えば名刺、カード、Ｌ判／２Ｌ判、ハガキ、六切やＪＩＳ規格のＡ６判からＡ４判までのサイズの単票紙に記録することができる機能を備えている。このインクジェット式プリンタ１００は、全体が略直方体状のハウジング１０１で覆われている。そして、ハウジング１０１の上面における前面側には本実施形態のパネル構造１０（図２等参照）を含む操作部１１０が配設され、前面における中央上部にはメモリカードスロット部１２０が配設され、上面における背面側には給紙部１３０が配設され、前面側には排紙部１４０が配設されている。
【００１３】
操作部１１０は、略長矩形状の操作パネル１１１を備えている。この操作パネル１１１は、略矩形状のパネルフレーム（第１のパネル）１１と、このパネルフレーム１１の図示左右両側にそれぞれ一体形成された略矩形状のサイドフレーム１１１ａ、１１１ｂを備えている。パネルフレーム１１には、操作状態等を表示するユニット化された液晶ディスプレイ（表示手段）１１２と、パネル化粧板（第２のパネル）１２及び液晶ディスプレイカバー（表示カバー）１３が装着されており、これらが図２等に示すパネル構造１０を構成している。尚、このパネル構造１０の詳細については後述する。また、サイドフレーム１１１ａ、１１１ｂには、パワーをオン・オフするパワー系、用紙の頭出し等を操作したりインクのフラッシング等を操作する操作系、画像処理等を行う処理系等の複数のボタン１１３が配設されている。ユーザは、液晶ディスプレイ１１２を見て確認しながら各種のボタン１１３を操作することができるので、誤操作を防止することができる。
【００１４】
メモリカードスロット部１２０は、図示矢印ａ方向に開閉自在なカバー１２１で覆われている。このメモリカードスロット部１２０は、複数スロット形成され、複数種類のメモリカードに対応可能に構成されている。ユーザは、インクジェット式プリンタ１００をパーソナルコンピュータに接続しなくても、インクジェット式プリンタ１００単独の状態でメモリカードスロット部１２０にメモリカードを差し込むのみで、メモリカードに格納されている画像等を記録することができる。
【００１５】
給紙部１３０は、上方に向かって矩形状に開口した給紙口１３１を開閉する機能と、給紙する用紙を１枚もしくは複数枚サポートする機能を併せ持ったペーパーサポート１３２を備えている。このペーパーサポート１３２は、後端の回転軸を中心に図示矢印ｂ方向に回動可能に取り付けられている。ユーザは、インクジェット式プリンタ１００を使用又は不使用のときは、ペーパーサポート１３２の両側に指を掛けてペーパーサポート１３２を開閉することができるので、用紙の差し入れを容易に行うことができ、また給紙口１３１内への埃の侵入を防止することができる。
【００１６】
排紙部１４０は、前方に向かって矩形状に開口した排紙口１４１を開閉する機能と、内部に設けられた排紙される用紙を１枚もしくは複数枚スタックする図示しないスタッカを覆う機能を併せ持ったカバースタッカ１４２を備えている。このカバースタッカ１４２は、下端の回転軸を中心に図示矢印ｃ方向に回動可能に取り付けられている。ユーザは、インクジェット式プリンタ１００を使用又は不使用のときは、カバースタッカ１４２の上部に指を掛けてカバースタッカ１４２を開閉することができるので、セッティングを容易に行うことができ、また排紙口１４１内への埃の侵入を防止することができる。更に、記録後の用紙は常に前面側から排紙されるので、ユーザは用紙を容易に取り出すことができる。
【００１７】
図２は、上記操作部１１０におけるパネル構造１０を前面側から見た分解斜視図、図３は、それを背面側から見た分解斜視図、図４は、組立後のパネル構造１０の平面図、図５は、そのＡ−Ａ線断面図及び主要部の拡大図である。また、図６及び図７は、液晶ディスプレイ１１２の分解斜視図である。パネル構造１０は、パネルフレーム１１、パネル化粧板１２及び液晶ディスプレイカバー１３と、ユニット化された液晶ディスプレイ１１２を備えている。パネルフレーム１１の裏面側にユニット化された液晶ディスプレイ１１２が装着され、パネルフレーム１１の表面側にパネル化粧板１２が装着され、このパネル化粧板１２に液晶ディスプレイカバー１３が装着されている。
【００１８】
パネルフレーム１１は、中央に液晶ディスプレイ１１２の表示画面１１２ｃを露出させる矩形状の画面表示窓１１ａが穿設され、その周囲にボタン１１３を突出させる円形状のボタン穴１１ｂが穿設され、更に周縁に矩形状のパネル化粧板１２の装着領域を画成するリブ１１ｃが立設されている。そして、パネルフレーム１１の表面における画面表示窓１１ａの図示左右の縁部の中央近傍には、パネル化粧板１２を位置決めするための円筒状のボス部（突部）１１ｄが突設されている。また、パネルフレーム１１の裏面における画面表示窓１１ａの四隅近傍には、液晶ディスプレイ１１２を位置決め及び保持するアーム１１ｅが突設され、更に画面表示窓１１ａの図示左右の縁部の中央近傍には、液晶ディスプレイ１１２を固定するネジ固定部１１ｆが突設されている。これにより、パネルフレーム１１の画面表示窓１１ａと液晶ディスプレイ１１２の表示画面１１２ｃとを高精度に位置決め固定することができる。また、パネルフレーム１１の裏面におけるボタン穴１１ｂ及びその近傍には、ボタン１１３を押圧・押圧解除したときに上下動可能となるように弾性変形部材１１３ａが配設されている。
【００１９】
液晶ディスプレイ１１２は、矩形板状に形成されており、表示画面１１２ｃの外周面から裏面にかけてディスプレイフレーム１１２ｄが一体形成され、このディスプレイフレーム１１２ｄの裏面に図示しない電子部品が実装されたディスプレイ用基板が貼付されている。そして、表示画面１１２ｃを除くディスプレイフレーム１１２ｄの表面から側面にかけて金属製の箱状のディスプレイ枠１１２ａが嵌め込まれ、そのディスプレイ枠１１２ａの側面からディスプレイフレーム１１２ｄの裏面にかけて金属製の箱状のディスプレイ枠１１２ｂが嵌め込まれている。これらのディスプレイ枠１１２ａ、１１２ｂは、左右の対向する２側面１１２ａａ、１１２ｂａの中央部に、パネルフレーム１１にネジ止めする際のネジ固定部１１ｆに対応するネジ受け部１１２ａｂ、１１２ｂｂが折り曲げ加工されている。以上のように、液晶ディスプレイ１１２はユニット化されている。
【００２０】
パネル化粧板１２は、中央に液晶ディスプレイ１１２の表示画面１１２ｃを露出させる矩形状の画面表示窓１２ａが穿設され、更にその画面表示窓１２ａの周囲に矩形状の透明プラスチック等で成る液晶ディスプレイカバー１３が嵌め込まれる矩形状の凹部１２ｂが形成され、その凹部１２ｂの周囲にボタン１１３を突出させる円形状のボタン穴１２ｃが穿設されている。画面表示窓１２ａの大きさは、パネルフレーム１１の画面表示窓１１ａの大きさよりも若干小さくなるように穿設されている。これにより、ユーザが外部から見たときに画面表示窓１１ａの縁部が画面表示窓１２ａの縁部により隠されて見苦しく無くなるので、デザイン性を向上させることができる。
【００２１】
凹部１２ｂは、画面表示窓１２ａの周囲に一定幅で形成されており、パネルフレーム１１のボス部１１ｄが挿入可能な円筒状のボス穴部（穴部）１２ｄが対応する位置に穿孔されている。即ち、凹部１２ｂは、液晶ディスプレイカバー１３の外周が接触するパネル化粧板１２の縁部下端を延長することにより形成されている。これにより、パネル化粧板１２の画面表示窓１２ａとパネルフレーム１１の画面表示窓１１ａとを高精度に位置決め固定することができる。更に、液晶ディスプレイカバー１３とパネル化粧板１２の画面表示窓１２ａとを高精度に位置決め固定することができる。
【００２２】
パネルフレーム１１のボス部１１ｄとパネル化粧板１２のボス穴部１２ｄは、パネル化粧板１２の凹部１２ｂと重なる図２及び図３の一点鎖線より外側の液晶ディスプレイカバー１３の周縁部１３ａ、即ち液晶ディスプレイカバー１３の枠印刷される範囲内に形成されている。これにより、ユーザが外部から見たときにボス部１１ｄとボス穴部１２ｄは枠印刷により隠されて見苦しく無くなり、デザイン性を向上させることができる。また、パネル化粧板１２の延長縁部１２ｂａは、図５に示すように、パネル化粧板１２の裏面よりも突出して形成されているが、パネル化粧板１２を透明もしくは半透明のプラスチック等で形成する場合は、延長縁部１２ｂａをパネル化粧板１２の裏面と面一で形成する。これにより、当該パネル化粧板１２の裏面全面に印刷を施すことができ、デザイン性を高めることができると共に、印刷の剥離を防止することができる。
【００２３】
液晶ディスプレイカバー１３は、液晶ディスプレイ１１２よりも一回り大きい矩形平板状に形成されている。これにより、液晶ディスプレイ１１２の表示画面１１２ｃを完全に露出させて当該表示画面１１２ｃに表示される情報をユーザに確実に視認させることができる。また、液晶ディスプレイカバー１３は、パネル化粧板１２とは別体で形成されているので、例えばパネル化粧板１２を透明プラスチック等により液晶ディスプレイカバー１３と一体で成形する場合に生じ易いウエルド等の成形不良を防止することができる。更に、パネル化粧板１２のデザイン等をマイナーチェンジする際に不透明プラスチック等により成形する場合、液晶ディスプレイカバー１３を除いた金型を改めて製造する必要が無く、コストアップを抑えることができる。
【００２４】
以上により、液晶ディスプレイ１１２は、パネルフレーム１１のアーム１１ｅに位置決め及び保持されてネジ固定部１１ｆに固定される。パネル化粧板１２は、パネルフレーム１１のリブ１１ｃの区画部分に挿入されると共に、当該ボス穴部１２ｄがパネルフレーム１１のボス部１１ｄに挿入されて位置決め固定される。そして、液晶ディスプレイカバー１３は、当該周縁部１３ａがパネル化粧板１２の延長縁部１２ｂａ上に支持されて位置決め固定される。従って、液晶ディスプレイ１１２の表示画面１１２ｃとパネルフレーム１１の画面表示窓１１ａとパネル化粧板１２の画面表示窓１２ａと液晶ディスプレイカバー１３の枠印刷部分の内側とを高精度に位置決め固定することができる。そして、液晶ディスプレイ１１２の表示画面１１２ｃと液晶ディスプレイカバー１３の枠印刷部分の内側とを高精度に位置決め固定することができるので、液晶ディスプレイ１１２の表示画面１１２ｃを液晶ディスプレイカバー１３の枠印刷部分が覆うことは無く、液晶ディスプレイ１１２の表示画面１１２ｃの実表示領域から液晶ディスプレイカバー１３の枠印刷部までの距離を確保する必要が無いため、液晶のガラス面積を必要最小限として取り数を多くすることができる。
【００２５】
このような構成において、パネル構造１０の組立方法について説明する。先ず、パネルフレーム１１を裏返し、ユニット化された液晶表示パネル１１２を裏返してディスプレイフレーム１１２ｄの四隅をパネルフレーム１１のアーム１１ｅ内に嵌め込み、ディスプレイ枠１１２ａ、１１２ｂのネジ受け部１１２ａｂ、１１２ｂｂを、パネルフレーム１１のネジ固定部１１ｆ上に載置する。そして、ネジをディスプレイ枠１１２ａ、１１２ｂのネジ受け部１１２ａｂ、１１２ｂに通して、パネルフレーム１１のネジ固定部１１ｆに螺合し、ユニット化された液晶表示パネル１１２をパネルフレーム１１に位置決め固定する。
【００２６】
次に、パネルフレーム１１を表にし、パネル化粧板１２を表にしてパネルフレーム１１のリブ１１ｃ内に嵌め込むと共に、パネル化粧板１２のボス穴部１２ｄにパネルフレーム１１のボス部１１ｄを挿入し、パネル化粧板１２をパネルフレーム１１に位置決めし、例えば両面接着テープや接着剤等により固定する。最後に、液晶ディスプレイカバー１３を表にしてパネル化粧板１２の凹部１２ｂに嵌め込んで位置決めし、例えば両面接着テープや接着剤等により固定する。以上によりパネル構造１０の組立が完了する。
【００２７】
以上のように、本実施形態のパネル構造１０によれば、ユニット化された液晶ディスプレイ１１２が位置決め固定されたパネルフレーム１１上にパネル化粧板１２を位置決め固定し、更に、パネル化粧板１２の縁部を延長し、当該延長縁部１２ｂａ上で液晶ディスプレイカバー１３の周縁部１３ａを支持することにより、パネル化粧板１２上に液晶ディスプレイカバー１３を位置決め固定したので、ユニット化された液晶ディスプレイ１１２と液晶ディスプレイカバー１３との位置決め構造を両者間に配設しなくても両者を高精度に位置決めすることができる。更に、ユニット化された液晶ディスプレイ１１２と液晶ディスプレイカバー１３との位置決め構造が不要となるので、パネル化粧板１２の裏面が略平坦となり、パネル化粧板１２の裏面に印刷を施して、デザイン性を向上させることができると共に、印刷の剥離を防止することができる。
【００２８】
また、パネルフレーム１１上にボス部１１ｄを設け、パネル化粧板１２にボス部１１ｄが挿入可能なボス穴部１２ｄを設けることにより、パネルフレーム１１上にパネル化粧板１２を位置決めしたので、パネルフレーム１１とパネル化粧板１２との位置決め構造を簡易なものとすることができる。更に、パネル化粧板１２の裏面を略平坦にすることができるので、パネル化粧板１２の裏面に印刷を施して、デザイン性の向上及び印刷の剥離防止を図ることができる。また、ボス部１１ｄとボス穴部１２ｄは、ユニット化された液晶ディスプレイ１１２に近接して設けられているので、ユニット化された液晶ディスプレイ１１２と液晶ディスプレイカバー１３との位置決め精度を向上させることができる。
【００２９】
また、ボス部１１ｄとボス穴部１２ｄは、少なくともユニット化された液晶ディスプレイ１１２の両側に設けられているので、ユニット化された液晶ディスプレイ１１２を挟み込む形でパネルフレーム１１とパネル化粧板１２とを位置決めしており、ユニット化された液晶ディスプレイ１１２と液晶ディスプレイカバー１３との高精度な位置決めを維持することができる。また、ボス部１１ｄとボス穴部１２ｄは、液晶ディスプレイカバー１３の枠印刷範囲内に設けられているので、ボス部１１ｄとボス穴部１２ｄを外観上見えなくしてデザイン性を向上させることができる。
【００３０】
図８及び図９は、上記パネル化粧板１２（１２Ａ、１２Ｂ）の裏面が平坦な場合を図３に対応させて示す斜視図であり、同一構成箇所は同一番号を付してそれらの説明を省略する。図８に示すパネル化粧板１２Ａは、透明もしくは半透明のプラスチック等で裏面が平坦、即ちパネル化粧板１２Ａの裏面と延長縁部１２Ａｂａが面一に形成されている。これにより、パネル化粧板１２Ａの裏面に全面にわたって印刷することができ、デザイン性の向上及び印刷の剥離防止を図ることができる。更に、ユーザが外部から見たときに、パネル化粧板１２Ａのボス穴部１２Ａｄはパネルフレーム１１のボス部１１ｄと共に裏印刷により隠されて見苦しく無くなり、デザイン性を向上させることができる。図９に示すパネル化粧板１２Ｂは、透明もしくは半透明のプラスチック等で裏面が平坦、即ちパネル化粧板１２Ｂの裏面と延長縁部１２Ｂｂａが面一であって、パネル化粧板１２Ｂの下部で２分割されて形成されている。これにより、パネル化粧板１２Ｂの裏面に全面にわたって印刷することができ、デザイン性の向上及び印刷の剥離防止を図ることができる。更に、ユーザが外部から見たときに、パネル化粧板１２Ｂのボス穴部１２Ｂｄはパネルフレーム１１のボス部１１ｄと共に裏印刷により隠されて見苦しく無くなり、デザイン性を向上させることができる。そして、パネル化粧板１２Ｂが下部で２分割されているので、それぞれの裏印刷を変更等することにより更にデザイン性の向上を図ることができる。
【産業上の利用可能性】
【００３１】
表示手段を備えたパネル構造であれば操作部に限定されるものでは無い。また、例えばファクシミリ装置、コピー装置、スキャナ等の記録装置を含む一般的な電子機器であっても適用可能である。
【図面の簡単な説明】
【００３２】
【図１】本発明の一実施の形態に係るパネル構造を備えた電子機器である記録装置の外観構成の全体を示す斜視図である。
【図２】図１のプリンタの操作部におけるパネル構造を前面側から見た分解斜視図である。
【図３】図１のプリンタの操作部におけるパネル構造を背面側から見た分解斜視図である。
【図４】図１のプリンタの組立後のパネル構造の平面図である。
【図５】図４のＡ−Ａ線断面図及び主要部の拡大図である。
【図６】図１のプリンタの液晶ディスプレイの第１の分解斜視図である。
【図７】図１のプリンタの液晶ディスプレイの第２の分解斜視図である。
【図８】図１のプリンタの操作部におけるパネル構造のパネル化粧板の裏面が平坦な場合を示す斜視図である。
【図９】図１のプリンタの操作部におけるパネル構造のパネル化粧板の裏面が平坦な場合の別例を示す斜視図である。
【符号の説明】
【００３３】
１０  パネル構造、１１  パネルフレーム、１１ａ  画面表示窓、１１ｂ  ボタン穴、１１ｃ  リブ、１１ｄ  ボス部、１１ｅ  アーム、１１ｆ  ネジ固定部、１２、１２Ａ、１２Ｂ  パネル化粧板、１２ａ  画面表示窓、１２ｂ  凹部、１２ｂａ、１２Ａｂａ、１２Ｂｂａ  延長縁部、１２ｃ  ボタン穴、１２ｄ、１２Ａｄ、１２Ｂｄ  ボス穴部、１３  液晶ディスプレイカバー、１３ａ  縁部、１００  インクジェット式プリンタ、１０１  ハウジング、１１０  操作部、１１１  操作パネル、１１２  液晶ディスプレイ、１１２ａ、１１２ｂ  ディスプレイ枠、１１２ａｂ、１１２ｂｂ  ネジ受け部、１１２ｃ  表示画面、１１２ｄ  ディスプレイフレーム、１１３  ボタン、１１４  パネルフレーム、１２０  メモリカードスロット部、１３０  給紙部、１４０  排紙部
【図１】
2008041797.tif 000003
【図２】
2008041797.tif 000004
【図３】
2008041797.tif 000005
【図４】
2008041797.tif 000006
【図５】
2008041797.tif 000007
【図６】
2008041797.tif 000008
【図７】
2008041797.tif 000009
【図８】
2008041797.tif 000010
【図９】
2008041797.tif 000011